(57)【要約】【課題】後下がりの庇についても、前下がりの庇と同じ庇板を用いることができ、庇板に水路溝などを形成するなどの形態上の制限を受けることがなく、また、庇の張出し長さの大小を問わず、同じ庇板を用いることができるようにする。【解決手段】庇１は、庇板２が後下がりの状態で建物の外壁面より前方へ張り出すように庇板２の基端部が保持具３により保持されて成る。保持具３は、庇板２の基端部を保持している部分を上方より覆うように庇板２の全幅にわたって装着されるカバー６と、庇板２の基端部の上面とカバー６の下端縁との間の幅方向に沿う隙間に配備される複数個の弾性材４５より成るシール機構４７とを備えている。シール機構４７は、各弾性材４５を隣の弾性材４５との間に開口部分が生ずるように間隔をあけて押圧状態で止め固定する止め金具４を有している。【選択図】図４
2012077469.tif 000002
【特許請求の範囲】
【請求項１】
庇板が後下がりの状態で建物の外壁面より前方へ張り出すように庇板の基端部が保持具により保持されて成る庇において、前記保持具は、庇板の基端部を保持している部分を上方より覆うように庇板の全幅にわたって装着されるカバーと、庇板の基端部の上面とカバーの下端縁との間の幅方向に沿う隙間に配備される複数個の弾性材より成るシール機構とを備え、前記シール機構は、各弾性材を隣の弾性材との間に開口部分が生ずるように間隔をあけて押圧状態で止め固定する止め金具を有して成る庇。
【請求項２】
前記止め金具は、各弾性材を個別に止め固定するものであり、カバーの下端縁が係合する部分が設けられている請求項１に記載された庇。
【発明の詳細な説明】
【技術分野】
【０００１】
この発明は、建物の外壁面より庇板が前方へ張り出すように設けられる庇に関し、特にこの発明は、庇板が後下がりに傾斜した状態で設置される庇に関する。
【背景技術】
【０００２】
従来の一般的な庇は、図８に示すように、庇板１００が前下がりになるように庇板１００の基端部が保持具１０１によって保持されている。保持具１０１は、建物の外壁面１２０に固着される縦板部１０２と一体に庇板１００の基端部の下面を全幅にわたって支持する横板部１０３を備えたものである。庇板１００は基端部上が全幅にわたって化粧カバー１０４により覆われている。雨水は庇板１００の前下がりの傾斜に沿って流下し、庇板１００の先端部に装着された雨樋１０５に集められる。雨樋１０５に流入した雨水は雨樋１０５の両側端部の開口部分より外部へ排出される。
【０００３】
庇を設置する場所によっては、庇の先端側より雨水を排出させたくない場合がある。その場合には、図９に示すように、庇板１１０が後下がりに傾斜するように庇板１１０の基端部が保持具１１１によって保持される。保持具１１１の縦板部１１２と横板部１１３との間の角度αは、図８の保持具１０１が９０度であったものが、９０度より小さな角度に設定されている。庇板１１０は、図８の前下がりの庇と異なり、雨水を化粧用のカバー１１４の内側へ導入するために、上面にＶ字状の水路溝１１６が形成されている（例えば、特許文献１参照）。
【先行技術文献】
【特許文献】
【０００４】
【特許文献１】実用新案登録第３１５６８５３号公報
【発明の概要】
【発明が解決しようとする課題】
【０００５】
しかしながら、図９に示した後下がりの庇では、庇板としてＶ字状の水路溝１１６を有する庇板１１０を用いる必要があるため、庇板の形態に制限を受けるという問題がある。
また、張出し長さの大きな庇では、庇板上を基端部に向けて流下する雨水の量が増すため、雨水が水路溝１１６から溢れるおそれがあり、水路溝１１６の開口幅や深さの大きな庇板を用いる必要があるが、水路溝１１６の開口幅や深さが大きくなると、塵芥、落ち葉などの夾雑物が水路溝１１６を通ってカバー１１４内に入り込み易くなり、夾雑物が雨水の流入路を詰まらせる頻度が高くなり、清掃などに手数を要する。したがって、水路溝１１６の開口幅や深さは極力小さいことが望ましく、これを大きなものに統一できないため、庇の張出し長さに応じて水路溝１１６の開口幅や深さが大小異なる複数種の庇板を用意する必要がある。
【０００６】
この発明は、上記した問題に着目してなされたもので、後下がりの庇についても、前下がりの庇と同じ庇板を用いることができ、庇板の上面に水路溝を形成するなどの形態上の制限を受けることがなく、また、庇の張出し長さの大小を問わず、同じ庇板を用いることができる庇を提供することを目的とする。
【課題を解決するための手段】
【０００７】
この発明による庇は、庇板が後下がりの状態で建物の外壁面より前方へ張り出すように庇板の基端部が保持具により保持されて成るものである。前記保持具は、庇板の基端部を保持している部分を上方より覆うように庇板の全幅にわたって装着されるカバーと、庇板の基端部の上面とカバーの下端縁との間の幅方向に沿う隙間に配備される複数個の弾性材より成るシール機構とを備えている。前記シール機構は、各弾性材を隣の弾性材との間に開口部分が生ずるように間隔をあけて押圧状態で止め固定する止め金具を有している。
【０００８】
上記した構成の庇では、庇板が後下がりに傾斜するので、雨水は庇板の後下がりの傾斜に沿って基端部に向けて流下し、シール機構の複数の開口部分を通ってカバーの内側へ流れ込む。シール機構の弾性材の長さは庇の張出し長さに応じて変えられ、それによって開口部分の開口幅が調整されるので、庇の張出し長さを問わず、庇板上を基端部に向けて流下する雨水は庇板より溢れ出ることなくカバーの内側に流れ込む。開口部分の開口幅を調整するに当たり、開口部分の開口幅を極力小さく設定することが可能であるので、塵芥、落ち葉などの夾雑物がカバー内に入り込んで雨水の流入路を詰まらせる頻度が少なくなる。
【０００９】
この発明の好ましい実施態様においては、前記止め金具は、各弾性材を個別に止め固定するものであり、カバーの下端縁が係合する部分が設けられている。
この実施態様によると、カバーはその下端縁が複数個の止め金具に係合して固定されるので、カバーは容易に外れることがなく安定した状態で固定され、また、カバーの下端縁を固定するための構造を別に設ける必要がない。
【発明の効果】
【００１０】
この発明によると、庇板の上面に水路溝を設ける必要がないから、後下がりの庇についても、前下がりの庇と同じ庇板を用いることができ、形態上の制限を受けることもない。また、庇の張出し長さに応じて、シール機構の弾性材の長さを変えて各開口部分の開口幅を調整できるので、庇の張出し長さの大小を問わず、同じ庇板を用いることができ、複数種の庇板を用意する必要がないだけでなく、開口部分の大きさを極力小さく調整することで、雨水が庇板上から溢れ出るおそれがなくすとともに、塵芥、落ち葉などの夾雑物がカバー内に入り込んで雨水の流入路を詰まらせる頻度を少なくできる。
【図面の簡単な説明】
【００１１】
【図１】この発明の一実施例である庇の外観を示す側面図である。
【図２】図１の実施例の斜視図である。
【図３】図２のＡ−Ａ線に沿う断面図である。
【図４】固定金具が位置する部分を断面して示す保持具の拡大断面図である。
【図５】固定金具が位置しない部分を断面して示す保持具の拡大断面図である。
【図６】庇板の保持構造を示す化粧カバーを外した状態の保持具の正面図である。
【図７】止め金具の外観を示す斜視図である。
【図８】庇板が前下がりに傾斜する従来の庇の断面図である。
【図９】庇板が後下がりに傾斜する従来の庇の断面図である。
【発明を実施するための形態】
【００１２】
図１は、この発明の一実施例である庇１の外観を示している。
この庇１は、建物の外壁面１０から張り出すように設けられるもので、金属製の庇板２と、建物の外壁面１０に固着され庇板２の基端部を全幅にわたって保持する保持具３と、庇板２の先端縁に全幅にわたって装着される化粧用の縁板２９とで構成されている。縁板２９はアルミニウムの押出成形により形成されている。
庇板２は保持具３により後下がりに傾斜した状態で保持されているが、張出し長さが大きな庇については、庇板２を上方より吊持したり下方より支えたりするためのアームを用いることができる。その場合のアームの本数は庇板２の幅に応じて決定する。
【００１３】
この実施例の庇板２は、図２に示すように、アルミニウムの押出成形により形成した複数枚の板材を幅方向に連結した構造のものであるが、これに限らず、全体が一枚物の庇板を用いることもできる。また、庇板２の材質はアルミニウムに限らず、他の金属であってもよく、さらには、ガラスや合成樹脂など、金属以外の材質のものであってもよい。
【００１４】
図示例の庇板２は、図２および図３に示すように、側端面を互いに突き合わせるようにして幅方向へ連結される複数の中間板材２０と、両側位置の中間板材２０の外側端面にそれぞれ装着される側板材２１，２２とで構成されている。各中間板材２０および各側板材２１，２２は、アルミニウムの押出成形により形成されており、その内部は中空となっている。
【００１５】
各中間板材２０は、一方の側端面に第１の係合部２３を、他方の側端面に第２の係合部２４を、それぞれ備えている。また、各側板材２１，２２のうち、一方の側板材２１は内側端面に第１の係合部２３を備え、他方の側板材２２は内側端面に第２の係合部２４を備えている。各中間板材２０の第１の係合部２３は他の中間板材２０または側板材２２の第２の係合部２４と係脱可能である。各中間板材２０の第２の係合部２４は他の中間板材２０または側板材２１の第１の係合部２３と係脱可能である。
なお、図中、２５は補強のために設けられたリブ、２６は補強のために挿入された厚みのある金属板材である。
【００１６】
保持具３は、図４および図５に示すように、建物の外壁面１０にアンカーボルト９１，９２により止め固定される縦板部３１および庇板２の基端部の下面を全幅にわたって支持する横板部３２を一体に備えた保持枠材３０と、庇板２を構成する各板材２０，２１，２２の基端部を保持枠材３０の横板部３２との間で挟持して庇板２を固定する複数個の固定金具５と、保持枠材３０の縦板部３１や固定金具５が上方より見えないように庇板２の基端部を上方より覆う化粧用のカバー６とを有している。保持枠材３０の縦板部３１の下端部の後面と建物の外壁面１０との間にはくさび板７が介装され、これにより庇板２が後下がりに傾斜するように縦板部３１を鉛直面に対して所定の角度だけ傾けている。なお、保持具３の両側端の開放部分は端板１１，１１により塞がれている。
【００１７】
保持枠材３０は、庇板２の幅とほぼ一致する長さを有するもので、縦板部３１と横板部３２とが９０度の角度をなしている。縦板部３１の上端縁にはカバー６の上端縁が引っ掛かる係合片３３が、横板部３２の先端縁には後述する雨樋８の開口端縁がネジ止めされる縦縁部３４が、それぞれ全幅にわたって形成されている。
保持枠材３０の縦板部３１の上下各位置には、それぞれアンカーボルト９１，９２を挿入するためのボルト挿通孔３５，３６が幅方向に沿って一定間隔毎に形成されている。上位置のボルト挿通孔３５は固定金具５の取付位置に形成されており、アンカーボルト９１により保持枠材３０の縦板部３１の前面に固定金具５が一体に固定される。
【００１８】
保持枠材３０の横板部３２の上面には、上方へ突出する突出部３７が全幅にわたって形成されている。この突出部３７は前後方向に沿う断面が矩形状であり、突出部３７と縦板部３１との間に、庇板２の後端より流下した雨水が溜まる雨水溜まりＰが全長にわたって形成されている。横板部３２の雨水溜まりＰの位置には、幅方向に沿って一定間隔毎に上下に貫通する排水孔３８が形成されている。
【００１９】
突出部３７の上面は、庇板２の基端部の下面を支持するための平坦な支持面３７ａになっている。突出部３７の内部は中空であり、ボルト９の頭部９ａが摺動自由に係合する係合溝３７ｂと、ボルト９の軸部９ｂを貫通させるボルト挿通溝３７ｃとが、それぞれ全長にわたって形成されている。
【００２０】
前記の各固定金具５は、幅方向に連なる中間板材２０の１個置きの位置に配設されるもので、図６に示すように、その長さＬを中間板材２０の幅Ｗより大きく設定することにより、中間板材２０とその両隣の板材とを保持枠材３０の横板部３２との間で挟持するものである。固定金具５はＬ字状をなし、縦向きの一方の板状部（以下「垂直板部」という。）５１に保持枠材３０の縦板部３１のボルト挿通孔３５に連通するボルト挿通孔５３が、横向きの他方の板状部（以下「水平板部」という。）５２に保持枠材３０の横板部３２のボルト挿通溝３７ｃに対向位置するボルト挿通孔５４が、それぞれ形成されている。垂直板部５１のボルト挿通孔５３には固定金具５を固定するためのアンカーボルト９１が挿入され、水平板部５２のボルト挿通孔５４には庇板２を構成する各板材を固定するためのボルト９が挿入される。ボルト９は、保持枠材３０の横板部３２に形成されたボルト挿通溝３７ｃと、中間板材２０の基端部に形成されたボルト挿通孔２７とを貫通し、ボルト９の先端部にナット９０がネジ止めされる。
【００２１】
庇板２上の隣り合う固定金具５，５の水平板部５２，５２間には、図５に示すように、前後方向に沿う雨水導入路ｄが形成されている。また、庇板２の基端と保持枠材３０の縦板部３１の前面との間には、各雨水導入路ｄと雨水溜まりＰとに連通する空間部Ｑが存在し、雨水導入路ｄを通過した雨水が庇板２の基端より空間部Ｑへ落下し、雨水溜まりＰに集められる。
【００２２】
カバー６は、上端縁に保持枠材３０の縦板部３１の上端に形成された係合片３３に引っ掛かって支持される折曲縁６１が形成され、下端縁に庇板２上にネジ止めされた複数個の止め金具４に係合して固定される鉤状縁６２が形成されたものである。なお、図４，５において、６５はカバー６の上端縁と建物の外壁面１０との間に装填されるコーキング材である。
【００２３】
各止め金具４は、固定金具５の取付位置に対応させて配置される複数個のゴムなどの弾性材４５とともにシール機構４７を構成する。各弾性材４５は庇の張出し長さに応じてその長さが設定され、それによって後述する開口部Ｒの幅が調整されている。この開口部Ｒの開口幅を極力小さく設定することで、塵芥、落ち葉などの夾雑物がカバー１１４内に入り込んで雨水の流入路を詰まらせる頻度を小さくする。
【００２４】
上記の各弾性材４５は、庇板２の基端部の上面とカバー６の下端の鉤状縁６２との間の庇板２の幅方向に沿う隙間に間隔をあけて一列に配備される。各止め金具４は、各弾性材４５を個別に止め固定するもので、図７に示すように、帯板状の金属板を複数箇所で折り曲げることにより、ネジ４０を通す止め孔４４を有する基板部４１、弾性材４５を庇板２の上面との間で押圧状態で挟持するための段部４２、およびカバー６の鉤状縁６２が引っ掛かって固定される折り返し形状の係合部４３が一連に形成されている。
【００２５】
隣り合う止め金具４，４間には、庇板２の上面を流れてきた雨水をカバー６の内側へ導入して雨水導入路ｄへ案内するための開口部Ｒが形成されている。この開口部Ｒの開口幅は、雨水に含まれる塵芥、落ち葉などの夾雑物の流入を防ぐうえで、できる限り小さく設定するのが望ましく、庇板２の張出し長さに応じて、止め金具４および弾性材４５の長さを変えることにより大小調整される。庇板２の張出し長さが短ければ、雨水の流入量が少ないので、開口部Ｒの開口幅を小さく設定し、庇板２の張出し長さが長ければ、雨水の流入量が多いので、開口部Ｒの開口幅を大きく設定する。
【００２６】
前記のくさび板７および雨樋８は、この実施例ではアルミニウムの押出成形により一体形成されている。くさび板７は波板状の帯板材をもって構成され、保持枠材３０の側には縦板部３１の後面に面接触する２個の凸面７１，７２、建物の側には建物の外壁面１０に面接触する１個の凸面７４をそれぞれ有している。凸面７１，７２間には凸面７４に対応する凹溝７３が位置し、この凹溝７３内にくさび板７を建物の外壁面１０にネジ止めするためのネジ９３の頭部９３ａを位置させる。
【００２７】
雨樋８は、上面および両側端が開放された長手形状のものであり、保持枠材３０の横板部３２の下方に位置する。雨樋８の一方の開口縁にはくさび板７との連設部８１が、他方の開口縁には保持枠材３０の横板部３２の縦縁部３４に嵌まる嵌合縁８２が、それぞれ形成されている。雨樋８の一側端部の底面には縦樋８５と連通する孔（図示せず）が設けられている。雨樋８に集められた雨水は縦樋８５を通して外部へ排出される。
雨樋８の両側端の開放部分は端板８０により塞がれている。各端板８０はその上縁と保持枠材３０の横板部３２との間に溢水のための隙間ｔが生じるように高さが設定されている。
【００２８】
上記した構成の庇１を建物の外壁面１０に取り付けるには、まず、建物の外壁面１０の所定位置に雨樋８を一体に備えたくさび板７をネジ止めしたうえで、くさび板７上に保持枠材３０を重ねるようにして縦板部３１の複数箇所をアンカーボルト９２により固着して保持枠材３０を取り付けるとともに、保持枠材３０の横板部３２の下方に雨樋８を位置させる。その後、庇板２を構成する全ての中間板材２０および側板材２１，２２の基端部を複数の固定金具５により順次固定して庇板２を組み立て、その庇板２の先端部に縁板２９を装着した後、各固定金具５の取付位置に複数個の弾性材４５を止め金具４により個々に取り付け、庇板２の基端部上にカバー６を装着する。
【００２９】
上記の構成の庇１では、くさび板７によって庇板２が後下がりに傾斜するので、雨水は庇板２の後下がりの傾斜に沿って基端部の保持具３に向けて流下し、シール機構４７の止め金具４，４間の開口部Ｒよりカバー６の内側に流入する。この場合、シール機構４７の止め金具４および弾性材４５の長さは庇の張出し長さに応じて設定され、それによって開口部Ｒの開口幅が調整されているので、庇の張出し長さを問わず、庇板２上を基端部に向けて流下する雨水は庇板２より溢れ出ることなくカバー６の内側に流れ込む。開口部Ｒの開口幅の調整に当たり、開口部Ｒの開口幅を極力小さく設定しているので、塵芥、落ち葉などの夾雑物がカバー６内に入り込んで雨水の流入路を詰まらせる頻度が低くなっている。
【００３０】
固定金具５，５間の雨水導入路ｄを通過した雨水は、庇板２の後端より空間部Ｑへ流れ落ち、保持枠材３０の横板部３２上の雨水溜まりＰに溜まる。横板部３２には複数の排水孔３８が形成されているので、雨水溜まりＰに溜まった雨水は排水孔３８より流出し、雨樋８内に集められる。
【符号の説明】
【００３１】
１    庇
２    庇板
３    保持具
４    止め金具
５    固定金具
６    化粧用のカバー
４５  弾性材
４７  シール機構
【図１】
2012077469.tif 000003
【図２】
2012077469.tif 000004
【図３】
2012077469.tif 000005
【図４】
2012077469.tif 000006
【図５】
2012077469.tif 000007
【図６】
2012077469.tif 000008
【図７】
2012077469.tif 000009
【図８】
2012077469.tif 000010
【図９】
2012077469.tif 000011